(57)【要約】【課題】  旗類を掲揚時に風向きによって巻き付くのを防止ししかも巻き付くことなく安全に収納可能にすることができるコンパクトで見栄えの良い掲揚・収納装置を提供することを目的とする。【解決手段】  設置ベースを介して高く立設されたポールと、このポールの上端に設けられて同ポールの軸心と同心状をなして回転自在とされた天端キャップと、前記ポールの上端と天端キャップとの間に設けられた軸受と、天端キャップ内に回転自在に設けられた上部ホイールと、ポールの下部内に設けられ掲揚のための回転力が加えられる下部駆動ホイールと、ポール外周において昇降自在に設けられた環状の昇降ウエイトと、下端が下部駆動ホイール周りに上端が上部ホイールを介して昇降ウエイトに繋がれた掲揚線条材と、この掲揚線条材の上部ホイールと昇降ウエイトとの間に相当する部分に設けられる旗類と、ポールの下部外周を一定の間隔を置いて囲うべく設置ベースから立設された収納用ポールとでなる。【選択図】図１
2019190258.tif 000002
【特許請求の範囲】
【請求項１】
設置ベースを介して高く立設されたポールと、このポールの上端に設けられて同ポールの軸心と同心状をなして回転自在とされた天端キャップと、前記ポールの上端と天端キャップとの間に設けられた軸受と、天端キャップ内に回転自在に設けられた上部ホイールと、ポールの下部内に設けられ掲揚のための回転力が加えられる下部駆動ホイールと、ポール外周において昇降自在に設けられた環状の昇降ウエイトと、下端が下部駆動ホイール周りに上端が上部ホイールを介して昇降ウエイトに繋がれた掲揚線条材と、この掲揚線条材の上部ホイールと昇降ウエイトとの間に相当する部分に設けられる旗類と、ポールの下部外周を一定の間隔を置いて囲うべく設置ベースから立設された収納用ポールとでなる旗類掲揚・収納装置。
【請求項２】
設置ベースを介して高く立設されたポールと、このポールの上端に設けられた天端キャップと、昇降ウエイトを兼ねるものとしてポール外周に設けられた円筒状をした外パイプと、外パイプの上端内周に設けられてポールの外周に対し昇降運動可能とされた軸受と、天端キャップ内に回転自在に設けられた上部ホイールと、ポールの下部内に設けられ掲揚のための回転力が加えられる下部駆動ホイールと、下端が下部駆動ホイール周りに上端が上部ホイールを介して軸受の内周環部に連結された掲揚線条材と、外パイプに設けられる旗類と、ポールの下部外周を一定の間隔を置いて囲うべく設置ベースから立設された収納用ポールとでなる旗類掲揚・収納装置。
【請求項３】
上端開放状のパイプであって設置ベースを介して高く立設されたポールと、このポールの上端に軸受を介して縦軸回りに回転自在に設けた回転パイプと、回転パイプの上端に設けた天端キャップと、回転パイプとともに回転すべく天端キャップあるいは回転パイプに設けた上部ホイールと、ポールの下部内に設けられ掲揚のための回転力が加えられる下部駆動ホイールと、ポール外周において昇降自在に設けられた環状の昇降ウエイトと、下端が下部駆動ホイール周りに上端が上部ホイールを介して昇降ウエイトに繋がれた掲揚線条材と、掲揚線条材の上部ホイールと昇降ウエイトとの間に相当する部分に設けられる旗類とでなる旗類掲揚・収納装置。
【発明の詳細な説明】
【技術分野】
【０００１】  本発明は、旗類掲揚・収納装置に関する。
【背景技術】
【０００２】  幟旗掲揚装置には旧来から各種のものがある。
【先行技術文献】
【特許文献】
【０００３】
【特許文献１】特開２００９−０８４９２２
【特許文献２】特開２０１３−０８８８００
【発明の概要】
【発明が解決しようとする課題】
【０００４】  特許文献１は幟旗掲揚装置に係るもので、該装置は、簡易な構造で風向きの変化に応じて幟旗の方向を変えることを可能にし、風によって幟旗がポールに巻き付くことを確実に防止することを目的とするものであり、地上から上方へ立設されたポール本体１と、その上端において水平回転自在に軸着した回転体と、ポール本体の下方において水平回転自在に遊嵌した回転錘体と、これら回転体及び回転錘体間に張設した無端の環状をした操作ロープと、この操作ロープに対し幟旗が旗の掲揚状態において上方に幟旗装着部と、下方に回転錘体に掛止される係止部とを設け、回転錘体の上方位置に鍔部を突設し、鍔部の導孔内を操作ロープが通るよう構成されている。
しかし、この幟旗掲揚装置は、幟旗を風雨に晒されて傷まないようにするには幟旗を降ろして取り外したりまた取り付けたりする必要があった。
そのため、特許文献２に示す旗類掲揚・収納装置が提案された。この装置は、旗類の掲揚と収納が極めて簡単かつ迅速に行えるとともに収納により旗類を風雨などから確実に保護することができる旗類掲揚・収納装置を提供することを目的としたものである。
本装置は、傾斜を含む縦向きに固定設置される固定ポール４０と、旗類６７を取り付け得るものとして固定ポール４０内において昇降自在に設けられた昇降部材５７とを備えた旗類掲揚・収納装置であって、前記固定ポール４０の上端には、降ろされる旗類６７を案内する収納ガイド４２が上向き拡開状をなして設けられていることを特徴とするものである。
本装置の固定ポール４０は、旗類６７が装置中心周りのいずれの位置にあっても収納できるようにするため一定以上の太目パイプとしておく必要があることから、その太さが目立たないように出来るだけ低いパイプとしておくのが装置がコンパクトに見えて好ましいことである。
しかし、本装置の掲揚方式は、旗類７を取り付けしかもそれを昇降させるものがパイプ状の昇降部材５７としてあるため、固定ポール４０は長く高いものになってしまい、今一つ見栄えが優れなかった。【０００５】  本発明は、このような問題を解決しようとするもので、旗類を掲揚時に風向きによって巻き付くのを防止ししかも巻き付くことなく安全に収納可能にすることができるコンパクトで見栄えの良い旗類掲揚・収納装置を提供することを目的とする。
【課題を解決するための手段】
【０００６】  本発明は上記目的を達成するため、請求項１に記載の発明は、設置ベースを介して高く立設されたポールと、このポールの上端に設けられて同ポールの軸心と同心状をなして回転自在とされた天端キャップと、前記ポールの上端と天端キャップとの間に設けられた軸受と、天端キャップ内に回転自在に設けられた上部ホイールと、ポールの下部内に設けられ掲揚のための回転力が加えられる下部駆動ホイールと、ポール外周において昇降自在に設けられた環状の昇降ウエイトと、下端が下部駆動ホイール周りに上端が上部ホイールを介して昇降ウエイトに繋がれた掲揚線条材と、この掲揚線条材の上部ホイールと昇降ウエイトとの間に相当する部分に設けられる旗類と、ポールの下部外周を一定の間隔を置いて囲うべく設置ベースから立設された収納用ポールとでなる。
請求項２に記載の発明は、設置ベースを介して高く立設されたポールと、このポールの上端に設けられた天端キャップと、昇降ウエイトを兼ねるものとしてポール外周に設けられた円筒状をした外パイプと、外パイプの上端内周に設けられてポールの外周に対し昇降運動可能とされた軸受と、天端キャップ内に回転自在に設けられた上部ホイールと、ポールの下部内に設けられ掲揚のための回転力が加えられる下部駆動ホイールと、下端が下部駆動ホイール周りに上端が上部ホイールを介して軸受の内周環部に連結された掲揚線条材と、外パイプに設けられる旗類と、ポールの下部外周を一定の間隔を置いて囲うべく設置ベースから立設された収納用ポールとでなる。
請求項３に記載の発明は、上端開放状のパイプであって設置ベースを介して高く立設されたポールと、このポールの上端に軸受を介して縦軸回りに回転自在に設けた回転パイプと、回転パイプの上端に設けた天端キャップと、回転パイプとともに回転すべく天端キャップあるいは回転パイプに設けた上部ホイールと、ポールの下部内に設けられ掲揚のための回転力が加えられる下部駆動ホイールと、ポール外周において昇降自在に設けられた環状の昇降ウエイトと、下端が下部駆動ホイール周りに上端が上部ホイールを介して昇降ウエイトに繋がれた掲揚線条材と、掲揚線条材の上部ホイールと昇降ウエイトとの間に相当する部分に設けられる旗類とでなる。
【発明の効果】
【０００７】  上述したように本発明は、設置ベースを介して高く立設されたポールと、このポールの上端に設けられて同ポールの軸心と同心状をなして回転自在とされた天端キャップと、前記ポールの上端と天端キャップとの間に設けられた軸受と、天端キャップ内に回転自在に設けられた上部ホイールと、ポールの下部内に設けられ掲揚のための回転力が加えられる下部駆動ホイールと、ポール外周において昇降自在に設けられた環状の昇降ウエイトと、下端が下部駆動ホイール周りに上端が上部ホイールを介して昇降ウエイトに繋がれた掲揚線条材と、この掲揚線条材の上部ホイールと昇降ウエイトとの間に相当する部分に設けられる旗類と、ポールの下部外周を一定の間隔を置いて囲うべく設置ベースから立設された収納用ポールとでなるので、旗類を掲揚時に風向きによって巻き付くのを防止ししかも巻き付くことなく安全に収納可能にすることができるコンパクトで見栄えの良い掲揚・収納装置を提供することができる。
【図面の簡単な説明】
【０００８】
【図１】  本発明の一実施形態である旗類掲揚・収納装置を掲揚時において示す一部切欠正面図。
【図２】  図１のＩＩ−ＩＩ線拡大断面図。
【図３】  旗類掲揚・収納装置の他の実施形態を示す一部切欠正面図。
【図４】  旗類掲揚・収納装置の他の実施形態を示す一部切欠正面図。
【図５】  図６のＶ−Ｖ線断面図。
【図６】  図５のＶＩ−ＶＩ線断面図。
【図７】  他の実施形態を示す正面図。
【図８】  旗類掲揚・収納装置の他の実施形態を示す一部切欠正面図。
【図９】  旗類掲揚・収納装置の他の実施形態を示す一部切欠正面図。
【図１０】  図９の上部構造を示す斜視図。
【図１１】  旗類掲揚・収納装置の他の実施形態を示す一部切欠正面図。
【図１２】  付加的な提案例を図１３の右側からみて示す正面図。
【図１３】  図１２の左側からみて示す正面図。
【図１４】  他の提案例を示す図１５の上面図。
【図１５】  図１６の左側からみた正面図。
【図１６】  図１５の右側からみた正面図。
【図１７】  他の提案例を示す正面図。
【図１８】  図１７の右側からみた正面図。
【発明を実施するための形態】
【０００９】  以下、本発明である旗類掲揚・収納装置の一実施形態を説明する。
図１および図２は旗類掲揚・収納装置の一実施形態を示すもので、１は所望の基盤で、この基盤１はコンクリート（あるいはモルタル）質や土壌質である場合があり、同基盤１には装置の設置ベース２がアンカーボルト３を介して水平に固定されている。
【００１０】  設置ベース２の中央からは、フランジを介するか直付けなどにより長いポール５が垂直に立設固定されている。このポール５は、ステンレスやアルミ合金あるいは樹脂などによる円筒パイプで上下に亘って例えば、６０〜８０ｍｍの一様な外径をもつものになっている。ポール５は上方に至るに従って外径が小さくなったテーパーパイプにしてもよい。
【００１１】  このポール５の上端には、一段と細くなった段差部が設けられ、その外周を介して（ころがり）軸受６が嵌め込まれるとともに、その軸受６の外周に数枚のスペーサ７…を介して天端キャップ８が取り付けられている。スペーサ７…は図２に示すように軸受６と天端キャップ８との間に（ロープ）通口９を設けるためのもので、その内端は軸受６に外端は天端キャップ８に固着されている。
【００１２】  軸受６の内輪はポール５側に固定される一方外輪とスペーサ７…および天端キャップ８とはポール５の軸心に同心状をなして回転するようになっている。軸受６は、ボールあるいはローラーなどのころ部材が中間部材として設けられているが、ころ部材がなく、例えば、滑り易い樹脂などによる回転スライドする内輪・外輪としたものにしてもよく、また内輪がポール５自体で外輪が天端キャップ８自体とされることもある。
天端キャップ８は、ポール５の上部よりもやや太い直径をもつ丸形で逆受皿型に形成したものとされ、その内部にはブラケット１０を介して上部ホイール１１が取り付けられている。
【００１３】  １３は下部駆動ホイールで、図１の右欄に示すように、ポール５の下端から８０ｃｍ程度の高さとなる下部内に回転自在に設けられていて、その係合溝１４に係合するようにセットされた電動ドリルなどの駆動源１５により正逆（巻取・繰出）に駆動されるようになっている。下部駆動ホイール１３に巻かれたロープ（掲揚線条材）１７はポール５の中心を通って上部ホイール１１回りに回されたあと下向きに伸ばされた部分に旗類１８が取り付けられるとともにその下端は環状の昇降ウエイト２０に接続されている。昇降ウエイト２０は一定の重みがある金属や樹脂製のリング体であり、ポール５に対し周隙間をもって自在に昇降できる部材となっている。
【００１４】  ２１はドリル受体で、駆動源１５の基部を装脱可能にするものである。２２は制御盤、２３は防水カバー、２４は開閉蓋である。
そして、２６は収納用ポールで、金属あるいは樹脂などの円筒体からなり、直径は２０ないし３０ｃｍ前後の小さい胴体であり高さは８０〜１００ｃｍの低いものになっていてポール５と同心状をなすようにして設置ベース２上に垂直に立設固定されている。前記駆動源１５は、前記のようなバッテリ式（ソーラー発電式も含む）の他に一般配電式、クランクのような手動ハンドル式とされることがあり、このことは以下の実施形態でも同様に言えることである。
【００１５】  図１および図２は駆動源１５により下部駆動ホイール１３が巻取り作動されてロープ１７の一端が引下げられる一方他端が昇降ウエイト２０の重さに抗して引上げられて旗類１８が最も高いところまで掲揚された状態を示している。この掲揚状態で風が吹くとその向きを天端キャップ８上の風向き同調突起２７が捉えて旗類１８をそれに靡く方向に向けるように制御する。
【００１６】  即ち、図１では右向きの風が吹いているがそれが左向きに変わっていくと天端キャップ８が１８０度逆向きとされ、そのとき上部ホイール１１もロープ１７中心に１８０度回ることになりロープ１７の他端も１８０度回って旗類１８を連れ回すようにする。ロープ１７の他端が１８０度回っても昇降ウエイト２０も連れ回るためロープ１７が捩れるおそれはない。
【００１７】  制御盤２２のタイマーセットにより夕刻となったり降雨となったりした場合には駆動源１５が前記とは逆方向に駆動され、それにより下部駆動ホイール１３は繰出し作動されるので、昇降ウエイト２０の作用する中旗類１８は下がって収納用ポール２６内に誘導されるものとなる。尚、図１の左欄には、側面逆Ｌ形をしたゴム製の覆いカバー２８を収納用ポール２６を取り付けておき、その軟薄部分２８ａが降ろされてくる昇降ウエイト２０やロープ１７、旗類１８などにより開かれて内部に収納されたあと自動的に閉じられるようにする一方引上げ時には旗類１８や昇降ウエイト２０などにより自動的に開かれるように構成することができる。
【００１８】  図３は他の実施形態を示す。３３は所望の基盤で、この基盤３３はコンクリート（あるいはモルタル）質や土壌質である場合があり、同基盤３３には装置の設置ベース３４がアンカーボルト３５を介して水平に固定されている。
【００１９】  設置ベース３４の中央からは、フランジを介するか直付けなどにより長いポール３６が垂直に立設固定されている。このポール３６は、ステンレスやアルミ合金あるいは樹脂などによる円筒パイプで下部は太径とされているがそれより上部は上下に亘って例えば、６０〜８０ｍｍの一様な外径をもつものになっている。ポール３６は上方に至るに従って外径が小さくなったテーパーパイプにしてもよい。
【００２０】  このポール３６の上端外周には（ころがり）軸受３８が嵌め込まれるとともに、内周を介して上向きに突設されたブラケット３９を介して上部ホイール４０と天端キャップ４１とが設けられている。軸受３８の内輪には、図３の左欄図のように、樹脂等のスライドスリーブ４３が取り付けられ、そのスリーブ４３を介して軸受３８はポール３６外周を上下にスライド昇降するようになっている。スライドスリーブ４３あるいは内輪には上部ホイール４０に掛けられたロープ４４の他端が接続されている。
【００２１】  ロープ４４の一端はポール３６の中心を下がって設けられるとともに、その下部一端は下部駆動ホイール４５周りに正逆駆動可能に巻き付けられている。下部駆動ホイール４５には、図１のような駆動源がセットされたりあるいはクランク型のような手動ハンドルが接続されるようになっている。４７は外パイプで、ウエイトを兼ねるもので金属あるいは樹脂等の円筒体からなり、全体としてポール３６より少し大きな径で上部は少し大きくなったパイプとされており、その上部は軸受３８の外輪が嵌め込まれている。
【００２２】  そして、この外パイプ４７の外周には取付具４８を介して旗類４９が装着されている。軸受３８としては、ボールあるいはローラーなどのころ部材が中間部材として設けられているが、ころ部材がなく、例えば、滑り易い樹脂などによる回転スライドする内輪・外輪としたものにしてもよい。
【００２３】  ５１は収納用ポールで、金属あるいは樹脂などの円筒体からなり、直径は２０ないし３０ｃｍ前後の小さい胴体であり高さは８０〜１００ｃｍの低いものになっていてポール３６と同心状をなすようにして設置ベース３４上に垂直に立設固定されている。
【００２４】  図３は駆動源により下部駆動ホイール４５が巻取り駆動されてロープ４４の一端が引下げられる一方他端が外パイプ４７の重さに抗して引上げられて旗類４９が最も高いところまで掲揚された状態を示している。この掲揚状態で風が吹くとその向きに従うようにして旗類４９が回され、それに応じて外パイプ４７が軸受３８を介して回転するようになる。それによって旗類４９の巻付きは防止される。
【００２５】  制御盤のタイマーセットにより夕刻とか降雨となったりした場合には駆動源が逆方向に駆動され、それにより下部駆動ホイール４５が繰出し作動されるので、外パイプ４７の重さが作用する中旗類４９は下がって収納用ポール５１内に誘導されるものとなる。尚、収納用ポール５１の上端には、図１の左欄のような覆いカバーを設けることがある。
【００２６】  図４ないし図６は他の実施形態を示す。５３は所望の基盤で、この基盤５３はコンクリート（あるいはモルタル）質や土壌質である場合があり、同基盤５３には装置の設置ベース５４がアンカーボルト５５を介して水平に固定されている。
【００２７】  設置ベース５４の中央からは、フランジを介するか直付けなどにより長いポール５６が垂直に立設固定されている。このポール５６は、ステンレスやアルミ合金あるいは樹脂などによる円筒パイプで上下に亘って例えば、６０〜８０ｍｍの一様な外径をもつものになっている。ポール５６は上方に至るに従って外径が小さくなったテーパーパイプにしてもよい。
【００２８】  このポール５６の上端には天端キャップ５７が固定されるとともにブラケット５８を介して上部ホイール５９が取り付けられている。６１はスライドスリーブで、例えば、滑り易い樹脂などで円筒状に形成されポール５６外周を滑って昇降自在に設けられており、このスライドスリーブ６１の外周には周方向に４片など複数枚のスペーサ６２が取り付けられてその間が通口６３となっている。
【００２９】  スペーサ６２の外周側は（ころがり）軸受６５の内輪に固着されており、外輪の方は外パイプ６６の内周に嵌め込まれている。軸受６５の内輪には、図６のように、上部ホイール５９に掛け回されたロープ６７の一端が接続される一方、ロープ６７の他方は通口６３から外パイプ６６・ポール５６間を抜けて下方の下部駆動ホイール６８に正逆駆動可能に巻き掛けられるようにされている。
下部駆動ホイール６８には、図１のような駆動源がセットされたりあるいはクランク型のような手動ハンドルが接続されるようになっている。外パイプ６６はウエイトを兼ねるもので金属あるいは樹脂等の円筒体からなり、全体としてポール５６より少し大きな径で上部は少し大きくなったパイプとされており、その上部に前記軸受６５の外輪が嵌め込まれている。
【００３０】  そして、この外パイプ６６の外周には取付具６９を介して旗類７０が装着されている。軸受６５としては、ボールあるいはローラーなどのころ部材が中間部材として設けられているが、ころ部材がなく、例えば、滑り易い樹脂などによる回転スライドする内輪・外輪としたものにしてもよい。
【００３１】  ７２は収納用ポールで、金属あるいは樹脂などの円筒体からなり、直径は２０ないし３０ｃｍ前後の小さい胴体であり高さは８０〜１００ｃｍの低いものになっていてポール５６と同心状をなすようにして設置ベース５４上に垂直に立設固定されている。
【００３２】  図４は駆動源により下部駆動ホイール６８が巻取り駆動されてロープ６７の一端が引下げられる一方他端が外パイプ６６の重さに抗して引上げられて旗類７０が最も高いところまで掲揚された状態を示している。この掲揚状態で風が吹くとその向きに従うようにして旗類７０が回され、それに応じて外パイプ６６が軸受６５を介して回転するようになる。それによって旗類７０の巻付きは防止される。
【００３３】  制御盤のタイマーセットにより夕刻とか降雨となったりした場合には駆動源が逆方向に駆動され、それにより下部駆動ホイール６８が繰出し作動されてロープ６７が通口６３を通して軸受６５を下げる方向に作用することから、外パイプ６６の重さが作用する中旗類７０は下がって収納用ポール７２内に誘導されるものとなる。尚、収納用ポール７２の上端には、図１の左欄のような覆いカバーを設けることがある。
【００３４】  図７は他の実施形態を示す。７５は外パイプで、取付具７６を介して旗類７７が取り付けられているが、ここでは、旗類７７の縦・横２辺に通し環部７８，７８を形成しかつその２辺間であるコーナーに相当する個所を切欠き７９として形成する一方、縦辺ａと横辺ｂとを有しその間をコイル状繋ぎ部ｃとするばね線材８０を縦辺ａを縦向きの通し環部７８にまた横辺ｂを横向きの通し環部７８に通しかつ切欠き７９に繋ぎ部ｃに曲げた状態で位置させるような形にして旗類７７を面状に張り詰めた状態にしながら縦辺ａを上下の取付具７６に係合支持させることでセットするようにしたものである。
【００３５】  取付具７６は、一端開口型Ｕ字バネ板製であってその弾性開閉作用により旗類７７を脱着可能にしてある。ばね線材８０は、直線状態が自然な状態とし、旗類７７を収納用ポール内に誘導する同ポールによって横辺ｂが持ち上げられることによって図のように旗類７７が上向きに伸展されながら畳まれ逆に旗類７７が引上げられるとばね線材８０のもつ弾性復帰力によって図７のような元の張り詰めた展開状態になるものである。
【００３６】  図８は他の実施形態を示す。この装置は、設置ベース８２にポール８３を立設するとともにその下部横サイドに収納用ポール８４を設置し、さらにポール８３の上端に天端キャップ８４と上部ホイール８５を設ける一方収納用ポール８４内に下部駆動ホイール８６を設けてこれらをつなぐようにロープ（掲揚線条材）８７を掛け回し、そのロープ８７の一部に外パイプ８８を繋いでその横サイドに取付具８９を介して旗類９０を備えたものである。ロープ８７の一部は外パイプ８８内を通される。また、上部取付具８９はパイプ状とされ、１辺が旗類の通し環部９１内を通されたＬ形をしたばね線材９２の上曲がりの辺部を挿し込むようになっている。このばね線材２は上向きに回避変形することで収納用ポール８４内にコンパクトに収まるようになっている。
【００３７】  図９および図１０は他の実施形態を示す。同装置は、基盤１００上に水平に固定される設置ベース１０１を備え、その上にポール１０２を垂直状をなして立設固定してある。ポール１０２の上端内に軸受１０３を介して回転パイプ１０４が設けられ、この回転パイプ１０４は縦軸回りに回転自在になっている。ポール１０２および回転パイプ１０４は共に高さ２ｍ前後のものである。
【００３８】  回転パイプ１０４の上端部は一体の支持部１０５になっており、その上端に一体化した受板１０６を介して天端キャップ１０７が脱着自在に止め付けられている。１０８は止着具である。天端キャップ１０７の天頂部には風向き同調突起１０９が設けられる一方、同天端キャップ１０７の内部底面に設けられたブラケット１１０を介して上部ホイール１１１が設けられている。回転パイプ１０４の下部内には下部駆動ホイール１１３が設けられ、上部ホイール１１１との間にロープ（掲揚線条材）１１４が掛けられている。
【００３９】  下部駆動ホイール１１３は、減速駆動モーターである駆動源１１５により繰出しと巻込みの正逆に駆動可能であり、巻込み駆動されると図９の掲揚状態から旗類１１６は上部ホイール１１１を越えて回転パイプ１０４内へと持ち込まれる。掲揚時に風向きが変わると、それを風向き同調突起１０９がキャッチして天端キャップ１０７から回転パイプ１０４までを風向きに合わせたように回転制御する。尚、前記駆動源に代えてホイール１１７を設けてそれに下方からロープ１１８を掛けるようにすれば低いところから手動で掲揚操作ができるようになる。回転パイプ１０４が支障なく回転されるように、回転パイプ１０４に開けた通し孔１１９にロープ１１４を通すようにする。
【００４０】  図１１は他の実施形態を示す。同装置は、基盤１２２上に水平に固定される設置ベース１２３を備え、その上にポール１２４を垂直状をなして立設固定してある。ポール１２４は４ｍ前後の高さでその上端は上向き拡開状に開口している。ポール１２４の上端外周には軸受１２５が嵌め込まれ、同軸受１２５を介して高さ５０ｃｍ程度の回転パイプ１２７が設けられ、この回転パイプ１２７は縦軸回りに回転自在になっている。
【００４１】  回転パイプ１２７の上端部は一体の支持部１２８になっており、その上端に一体化した受板１２９を介して天端キャップ１３０が脱着自在に止め付けられている。１３１は止着具である。天端キャップ１３０の天頂部には風向き同調突起１３２が設けられる一方、同天端キャップ１３０の内部底面に設けられたブラケット１３３を介して上部ホイール１３４が設けられている。
【００４２】  ポール１２４の下部には制御盤１３６が設けられるとともにさらに下部にはボックス１３７が設けられてその中に下部駆動ホイール１３８が設けられている。下部駆動ホイール１３８にはロープ（掲揚線条材）１４０の下部一端が巻き付けられており、その他端側は上部ホイール１３４を経由して下向きに伸び、その端部に環状の昇降ウエイト１４１が取り付けられている。ロープ１４０の昇降ウエイト１４１と上部ホイール１３４間に相当する部分には旗類１４３が取り付けられている。
【００４３】  下部駆動ホイール１３８は、減速駆動モーターである駆動源１４４により巻込みと繰出しの正逆に駆動可能であり、繰出し駆動されると図１１の掲揚状態となる。掲揚時に風向きが変わると、それを風向き同調突起１３２がキャッチして天端キャップ１３０・回転パイプ１２７・旗類１４３までが風向きに合わせたように回転制御される。巻込み駆動されると昇降ウエイト１４１が引上げられながら旗類１４３は上部ホイール１３４を越えて回転パイプ１２７内へと持ち込まれて収納される。尚、前記駆動源はバッテリ式ドリル方式や配電方式であったりクランク操作方式であってもよく、また単なる牽き紐方式であってもよい。
【００４４】  図１２および図１３は付加的な提案例を示すもので、同提案例は、一般家庭内でよく行われる室内灯（あるいは室外灯）の交換・点検作業が怪我などなく安全かつ迅速に行われるようにしたものである。一般家庭の室内灯は高い天井面に固定されたりぶら下げられたりしているが、その位置が高いため交換や点検をするにあたっては椅子や脚立などを用意して行われるが、高齢者にあっては必ずしも安定して作業を行うことができず、転倒・転落などして怪我を招くおそれがあった。
【００４５】  そのため、図１２および図１３に示すような安全かつ迅速に作業が行われるようにした作業装置をここに提案する。２００は天井、２０１は床面、２０２は側壁（柱も含む）で、側壁２０２の下部寄りには縦長矩形状の設置板２０３が止め付けにより固定されており、この設置板２０３は取付具２０４…で固定されている。設置板２０３の上部には回転支持軸２０６が設けられるとともに、この回転支持軸２０６を介してＬ字形の室内灯取付フレーム２０７を回転自在に支持してある。このフレーム２０７の上部には室内灯装着具２０８が取り付けられ、同装着具２０８を介して脱着可能な室内灯本体２０９が装着されるとともに、装着具２０８には配電コード２１０が接続されている。
【００４６】  室内灯取付フレーム２０７の下部にはウエイトであるバランサ２１２が取り付けられているが、フレーム２０７がフリーの状態では自然に倒れる力がやや大きくなるように設定され、止着具２１３で止め付けることでフレーム２０７を垂直に固定することができるようになっている。この止着具２１３を外せばフレーム２０７は倒れるのであるが、ストッパ２１４によって一定の角度、例えば、６０〜７０度倒れた角度でストップされる。従って、その倒れた状態では室内灯本体２０９は可成り低くなっているので、台脚を特に必要とすることなく図示のように床面２０１に立ったままで交換や点検などの作業ができるようになる。作業時には、止着具２１３をロック孔２１５に通しておくことで作業が安全に行える。作業後には、止着具２１３を抜いて元の垂直状態に戻されたフレーム２０７を同じ止着具２１３によって止め付けることで正規照明状態とされる。
前記バランサ２１２は、取付位置あるいは取付量を可変な方式にすることができる。また、同バランサ２１２は、図示のバランサ２１２の位置に取り付けられた水ボトルウエイト方式（注水量可変型）にすることができ、さらにバランサ２１２なしでフレーム２０７それ自体をＳＵＳ製や樹脂製の水タンク構造（ドレン付き）にしてその中に水を入れてウエイト量を可変のバランサ方式としてもよい。
【００４７】  図１４ないし図１６は他の付加的な提案例を示す。同装置は、高いところに設置した蛍光灯本体であっても椅子や台座などを用意することなく安全でかつ迅速に交換・点検などの作業が行えるようにしたものである。２２０は天井、２２１は床面、２２２は柱で、柱２２２の下部寄りにはリップ付き溝型鋼でなるガイドフレーム２２３が縦向きに固定されている。ガイドフレーム２２３には、Ｌ字形の室内灯取付フレーム２２４が昇降自在に設けられている。このフレーム２２４の上部には室内灯装着具２２５が取り付けられ、同装着具２２５を介して脱着可能な室内灯本体２２６が装着されるとともに、装着具２２５には配電コードが接続されている。
【００４８】  室内灯取付フレーム２２４の基部にはロックレバー２２８がねじ込まれていてそのレバー２２８がガイドフレーム２２３に締付・解除できるようになっていることから高い位置でも低い位置でも高さロックされるようになっている。只、図１５のように、高い位置でロックレバー２２８を弛めるとフレーム２２４が落ちてくるおそれがあるので、フレーム２２４を常に上昇位置に保つことができるようにウエイト装置を付してある。ウエイト装置は、ロープ２３１とウエイト２３２および載置台２３３とによって構成されている。ウエイト２３２によりフレーム２２４は上昇した平時照明状態に保たれ、その高さはロックレバー２２８の締付により維持される。載置台２３３にはロープ２３１が通せるようにコの字切欠き状に形成されている。
【００４９】  室内灯本体２２６を交換・点検等する場合には、ロックレバー２２８を左回りに回してロック解除すればフレーム２２４は下がろうとするが、ウエイト２３２が効いているので直ぐに下がることはなく、ウエイト２３２を手で持ち上げることで初めてフレーム２２４は下げることができるようになる。
ウエイト２３２を載置台２３３まで持ち上げて載置することで引上げ力が作用したままフレーム２２４は低い状態に確保され、そこでロックレバー２２８をロックしておくことで室内灯本体２２６を安全な低い作業高さ（１．３ｍ〜１．５ｍ程度）に静止固定することができる。従って、作業する人は床面２２１に立ったままで交換や点検などの作業ができるようになる。作業後には、ロックレバー２２８をロック解除状態にし、ウエイト２３２を床面２２１上に下げるとともにロックレバー２２８をロック状態にすれば平時照明状態とされる。ウエイト２３２は容量可変式にしたり、水タンク式（ドレン付き可変容量型）にしてもよい。
【００５０】  図１７および図１８は他の付加的な提案例を示す。同提案例は、例えば、天井２４０と畳などの床面２４１を有する和室内に祀られる神棚２４３の高さを低い高さに一時可変式にして高齢者等が椅子などを用意した際に起こる転落や転倒などの危険をなくすことができるようにしたものである。
【００５１】  床面２４１の奥側には、縦長枠状をした高い受枠２４５が底座２４６にウエイト２４７を載せ付けることで垂直状に立てられている。神棚２４３の神棚板２４８は、その両側に備えた支持板２４９を介して設けた上下のローラー２５０によって受枠２４５の目より高い位置に固定されている。その固定は、上端が神棚板２４８に取り付けられた受ステー２５１の下端を受枠２４５の上挿入孔２５２に挿通固定することによりなされている。神棚板２４８上には、御宮２５４や神具２５５他所要具が載置されている。２５６はエアースプリングで、受枠２４５の上端背部に固定された上ブラケット板２５７に上端基部が固定される一方、神棚板２４８側の下ブラケット板２５８に下部先端を連結して常時どの高さにも静止されるとともに昇降操作も軽度になされるようにセットされている。
【００５２】  必要により神棚２４３を低く下げるには、受ステー２５１の下端を上挿入孔２５２より抜いた状態にして受ステー２５１をもって引き下げるようにすることでなされ、その状態は受ステー２５１を下挿入孔２５３に挿し込むことで避難杭高さに停止保持される。神棚２４３は充分低い高さとなるので、椅子などに乗り上がって神饌（お供え）物の取り換えや清掃などの諸作業をする必要がなく床面２４１上に立ったままで行えるので安全でありまた諸作業が行き渡るものとなる。必要な作業等を終えると受ステー２５１を下挿入孔２５３から抜いて持ち上げるようにすればエアースプリング２５６の作用もあって軽快でスムーズに神棚２４３全体を持ち上げることができる。持ち上げたあと受ステー２５１を上挿入孔２５２に挿し込めば神棚２４３は尊厳のある高い位置に停止保持された形になる。
【符号の説明】
【００５３】  ２…設置ベース  ５…ポール  ６…軸受  ８…天端キャップ  １１…上部ホイール  １３…下部駆動ホイール  １７…ロープ（掲揚線条材）  １８…旗類  ２０…昇降ウエイト  ２６…収納用ポール  ３４…設置ベース  ３６…ポール  ３８…軸受  ４０…上部ホイール  ４１…天端キャップ  ４４…ロープ（掲揚線条材）  ４５…下部駆動ホイール  ４７…外パイプ  ５１…収納用ポール。
【図１】
2019190258.tif 000003
【図２】
2019190258.tif 000004
【図３】
2019190258.tif 000005
【図４】
2019190258.tif 000006
【図５】
2019190258.tif 000007
【図６】
2019190258.tif 000008
【図７】
2019190258.tif 000009
【図８】
2019190258.tif 000010
【図９】
2019190258.tif 000011
【図１０】
2019190258.tif 000012
【図１１】
2019190258.tif 000013
【図１２】
2019190258.tif 000014
【図１３】
2019190258.tif 000015
【図１４】
2019190258.tif 000016
【図１５】
2019190258.tif 000017
【図１６】
2019190258.tif 000018
【図１７】
2019190258.tif 000019
【図１８】
2019190258.tif 000020